(57)【要約】【課題】内部収納物品のデータの読取不能なキャビネットに物品を収納し管理する装置において、所定領域内で物品を検知した後、物品の所定領域外への不正持ち出しがなされたか、キャビネットに戻されたかを、精度良く判別する。【解決手段】キャビネット１１上に送受信部１２を設け、アンテナ１７より切換で近距離、中距離、遠距離に到達する電波をキャビネット１１の管理領域に送出し、ボックス１６−ｊから取り出された物品のＩＣタグ１４−ｊのデータを受信し、その後受信不可となった場合、それ以前に近距離、中距離、遠距離の順で受信と確認で不正持ち出しと判断し、他方ＩＣタグ１４−ｊのデータ受信後に、その後受信不可となった場合に、それ以前の受信が近距離受信であったとの確認で、ボックス１６−ｊへの物品戻しと判断する。【選択図】図１
2011079605.tif 000002
【特許請求の範囲】
【請求項１】
複数の収納部を有し、各収納部にＩＣタグ付きの物品を収納し、収納中は外部よりＩＣタグのデータを読取不能な物品収納庫と、前記物品収納庫の周辺管理領域にデータ授受用前記送受信部は送信する電波の強弱を切り換える機能を備え、
前記制御部は、前記送受信部より発射される電波の到達距離を近距離から遠距離に順次切り換える電波到達距離切換手段と、
前記電波の到達距離の切換毎に、送出電波に応答して、ＩＣタグからの受信状態を記憶する受信状態記憶手段と、の電波を送受する送受信部と、前記送受信部の通信動作を制御する制御部と、からなる物品管理装置において、
前記受信状態記憶手段に記憶された受信状態の変化に基づきＩＣタグの移動状態を判別するＩＣ移動状態判別手段と、を備え
、前記ＩＣ移動状態判別手段の判別に応じ、ＩＣタグ付設物品の持出し有無を判別するようにしたことを特徴とする物品管理装置。
【請求項２】
前記ＩＣタグ移動状態判別手段は、受信中であったＩＣタグよりの受信が不可となった場合に、それ以前に受信中のＩＣタグが、時間の経過で、近距離受信、中距離受信、遠距離受信と受信位置が遠くなる方向に移動していることを判別することにより、そのＩＣタグ付設物品の持出しを判別することを特徴とする請求項１記載の物品管理装置。
【請求項３】
前記ＩＣタグ移動状態判別手段は、受信中であったＩＣタグよりの受信が不可となった場合に、それ以前のＩＣタグよりの受信が近距離受信であることを確認することにより、そのＩＣ付設物品が前記物品収納庫の収納部に戻されたものと判別することを特徴とする請求項１又は請求項２記載の物品管理装置。
【発明の詳細な説明】
【技術分野】
【０００１】
この発明は、物品管理装置、特に複数の物品を、それぞれＩＣタグを付して、キャビネット（物品収納庫）の各ボックス（収納部）に収納し保管する物品管理装置に関する。
【背景技術】
【０００２】
一般に書類、部品、商品等の物品の管理に、キャビネットを用いる物品管理装置としては、図６に示すように、複数のボックス１を有するキャビネット２の各ボックス１毎に管理すべき物品３を収納する。各ボックス１の物品３には、物品毎のデータを記憶したＩＣタグ４が付設されている。このキャビネット２に物品３を出し入れするとき、あるいは所定時間毎にタグリーダ５でＩＣタグ４のデータの読み／書きを行い、物品管理をしている。      
【０００３】
この物品管理装置では、キャビネット２として非金属性のものを使用しているが、金属性のキャビネットを使用したものも使用されている。
金属性のキャビネットを使用した場合、キャビネットにＩＣタグ付きの物品３を収納すると、タグリーダ５でＩＣタグ４にデータの読み／書きが出来ないので、ＩＣタグ４をボックス１の前面扉１ａの外面に付設している。
この種の物品管理装置において、キャビネット２のボックス１から物品３が持ち出されたか否かは、タグリーダ５で、ＩＣタグ４に読み／書きのアクセスを行うことにより判断している。
ところで、物品管理装置において、物品が所定の領域から移動されたことを検知するため、アンテナが物品に付されたＲＦＩＤタグに記録されている管理情報が授受不能になった場合、物品が不正に持ち出されたものと判断するようにした技術が開示されている（例えば特許文献１参照）。
また、通常は、盗難監視用リーダからの応答要求信号の出力と監視対象物品に取り付けられた金属部材によって反射された反射信号の出力が打ち消し合う位置又は金属部材と密着する位置にＩＣタグを配置し、通常はＩＣタグの読み／書きが出来ないが、監視対象物品が設置場所から移動した場合に反射波がなくなり、ＩＣタグが応答要求信号を受信し、そのことで物品の設置場所からの移動を検出できるようにした技術が開示されている（例えば特許文献２参照）。
【先行技術文献】
【特許文献】
【０００４】
【特許文献１】特開２００５−３３２１８５号公報
【特許文献２】特開２００５−３８３０１号公報
【発明の概要】
【発明が解決しようとする課題】
【０００５】
上記図６に示すもので物品を非金属のキャビネットの各ボックスに収納して管理するタイプの物品管理装置において、物品の持ち出しを検知するのに、引用文献１に記載の技術を採用すると、ＩＣタグ付き物品がボックスに収納されている間でも、又ＩＣタグ付き物品がボックスから外部近傍に取り出された場合も、リーダライタで読み出だされるので、物品がキャビネット外に取り出されたか否かの区別がつかない。  また、同じく非金属のキャビネットの各ボックスに収納して管理するタイプの物品管理装置において、商品の持ち出しを検知するのに、キャビネットのボックス内、つまり所定位置に存する場合にＩＣタグのデータを読み／書き出来るので、所定位置に存する場合にＩＣタグのデータの読み／書きが出来ないとする引用文献２に記載の技術を採用することが出来ない。
また、図６に示すもので、物品を金属製のキャビネットのボックスに収納するタイプの物品管理装置において、商品の持ち出しを検知するのに、キャビネットのボックス内、つまり所定位置に存する場合に、ＩＣタグのデータを読み／書き出来ないので、ＩＣタグが所定位置に存する場合にＩＣタグの読み／書きが出来るとする引用文献１に記載の技術を採用することができない。
また、同じく金属製のキャビネットのボックスに収納するタイプの物品管理装置において、商品の持ち出しを検知するのに、監視対象物品であるＩＣタグ付きの物品をキャビネットのボックスに収納しているときは外部のリーダから読み／書き出来ず、ＩＣタグ付き物品をキャビネットから持ち出すと収納部からの持ち出しが検知できるが、引用文献２のようにＩＣタグは移動することなく物品のみを移動するものでないから、引用文献２に記載の技術を採用することは出来ない。
さらに、引用文献１，２に記載のものでは、物品を所定領域外に持ち出したか否かについては判断可能であるものの、キャビネットのボックスから取り出した物が所定領域外まで持ち出だされたものか、キャビネットのボックス内に戻されたのかまでは判別出来ないと言う問題がある。
この発明は、上記した問題点に着目してなされたものであって、物品がキャビネットの収納部から取り出された場合に確実にその旨を検知出来、物品が持ち出され所定領域内で物品を検出した後に、物品が検知されなくなった場合に、物品の所定領域外への不正持ち出しがなされたか、キャビネットに戻されたかを、精度良く判別し得る物品管理装置を提供することを目的とする。
【課題を解決するための手段】
【０００６】
この発明の物品管理装置は、複数の収納部を有し、各収納部にＩＣタグ付きの物品を収納し、収納中は外部よりＩＣタグのデータを読取不能な物品収納庫と、前記物品収納庫の周辺管理領域にデータ授受用の電波を送受する送受信部と、前記送受信部の通信動作を制御する制御部と、からなる物品管理装置において、前記送受信部は送信する電波の強弱を切り換える機能を備え、前記制御部は、前記送受信部より発射される電波の到達距離を近距離から遠距離に順次切り換える電波到達距離切換手段と、前記電波の到達距離の切換毎に、送出電波に応答して、ＩＣタグからの受信状態を記憶する受信状態記憶手段と、前記受信状態記憶手段に記憶された受信状態の変化に基づきＩＣタグの移動状態を判別するＩＣ移動状態判別手段と、を備え、前記ＩＣ移動状態判別手段の判別に応じ、ＩＣタグ付設物品の持出し有無を判別するようにしたことを特徴とする。
この発明の物品管理装置において、前記ＩＣタグ移動状態判別手段は、受信中であったＩＣタグよりの受信が不可となった場合に、それ以前に受信中のＩＣタグが、時間の経過で、近距離受信、中距離受信、遠距離受信と受信位置が遠くなる方向に移動していることを判別することにより、そのＩＣタグ付設物品の持出しを判別することができる。
また、この発明の物品管理装置において、前記ＩＣタグ移動状態判別手段は、受信中であったＩＣタグよりの受信が不可となった場合に、それ以前のＩＣタグよりの受信が近距離受信であることを確認することにより、そのＩＣ付設物品が前記物品収納庫の収納部に戻されたものと判別することができる。
【発明の効果】
【０００７】
この発明によれば、収納中は外部よりＩＣタグデータを読み取り不能な物品収納庫より、物品が管理領域に取り出された場合に、送受信部よりの電波でＩＣタグよりの受信データを受信することにより、物品の取り出しを確実に検知することができる。その上、送受信部からの送信電波の到達距離を近距離から遠距離に順次切り換えて管理領域に送出し，ＩＣタグからの受信状態を記憶しており、受信中であった状態から受信不可になった場合に、それ以前の受信が、近距離、中距離、遠距離と受信位置が遠くなることを確認することにより、管理領域外への不正持ち出しを確実に検知することができる。
また、受信中であった状態から受信不可となった場合に、それ以前の受信が近距離受信であることを確認することにより、この場合の物品収納部よりの物品持ち出しは、その後再び元の物品収納部に戻されたものと判断することが出来る。
【０００８】
つまり、所定領域内で物品を検出した後に、物品が検知されなくなった場合に、物品の所定領域外への不正持ち出しがなされたか、キャビネットに戻されたかを、精度良く判別することができる。
【図面の簡単な説明】
【０００９】
【図１】この発明の一実施形態に係る物品管理装置の概略構成を示す図である。
【図２】同実施形態物品管理装置のキャビネット及び送受信部の正面図を示す図である。
【図３】同実施形態物品管理装置の処理動作を説明するためのフロー図である。
【図４】図３とともに、同実施形態物品管理装置の動作を説明するためのフロー図である。
【図５】同実施形態物品管理装置の制御装置の受信データ記憶例を示す図である。
【図６】キャビネットを使用した従来の一般的な物品管理装置の物品収納部を示す図である。
【発明を実施するための形態】
【００１０】
以下、実施の形態により、この発明をさらに詳細に説明する。図１は、この発明の一実施形態物品管理装置の概略構成を示す図である。
【００１１】
この実施形態物品管理装置は、物品を収納するキャビネット（物品収納庫）１１と、送受信部１２と、制御装置（ＣＰＵ）１３と、キャビネット１１に収納される物品１５に付設したＩＣタグ１４と、から構成されている。
【００１２】
キャビネット１１は、図２に示すように複数個のボックス（物品収納部）１６−１，１６−２，・・・、１６−ｒからなり、各ボックス１６−１、１６−２、・・・、１６−ｒには、それぞれ管理すべき物品１５−１、１５−２、・・・、１５−ｒが収納される。物品１５−１、１５−２、・・・、１５−ｒには、それぞれＩＣタグ１４−１、１４−２、・・・、１４−ｒが付設されている。ＩＣタグ１４−１、１４−２、・・・、１４−ｒには、それぞれ管理情報（物品コード、物品名、関連データが記憶されている。
【００１３】
キャビネット１１は、金属製であり、外部に対して電磁シールド性があり、ボックス１６−１、１６−２、・・・、１６−ｒに収納されているＩＣタグ１４−１、１４−２、・・・、１４−ｒは、外部より読み／書きのアクセスをすることができない。このキャビネット１１は、金属製でなくても、収納されているＩＣタグ１４−１，１４−２・・・、１４−ｒが金属板などで電磁シールドされており、外部より読み／書きのアクセスをすることが出来ないものであればよい
送受信部１２は、アンテナ１７と、アンテナ１７を駆動する送受信回路１８とから構成されている。この送受信部１２は、キャビネット１１の上部に設置されている。この送受信部１２は、物品管理装置全体の設置状態に応じ、装置設置部の天井、またはキャビネット１１の両側部のいずれかに設けても良い。
この実施形態の送受信部１２の特徴は、アンテナ１７より発射する電波の到達距離（通信可能距離）が、近距離（図１のａ）、中距離（図１のｂ）、遠距離（図１のｃ）と、近い方より遠い方へ順に、繰り返し切り換えることである。この電波の発射、到達距離切り換え、通信領域内にＩＣタグが存在する場合のデータの授受等は、制御装置１３の制御により実行される。
制御装置１３は、図３、図４に示すフロー図を実行するプログラムを記憶しており、このプログラムに従い送受信部１２の通信制御、到達距離の切換え，ＩＣタグ１４−ｊ（ｊ＝１〜ｒ）とのデータ授受を制御する。
この実施形態物品管理装置では、送受信部１２のアンテナ１７から、キャビネット１１前方の管理領域にＩＣタグ１４−ｊの読み／書きアクセス用の電波Ｅｉを送出する。電波Ｅｉは、到達距離を切り換えて、近距離電波Ｅ１、中距離電波Ｅ２、遠距離電波Ｅ３と順次送出され、さらに次に近距離電波Ｅ１、中距離電波Ｅ２、遠距離電波Ｅ３、・・・と繰り返し送出され、ＩＣタグ１４−ｊからの受信があるか否か判別し、管理領域にキャビネット１１内の物品１５−ｊが持ち出されていないか監視している。
監視中に、物品１５−ｊがキャビネット１１から取り出されると、近距離電波Ｅ１に対するＩＣタグ１４−ｊよりの受信を記憶し、以後中距離電波Ｅ２、遠距離電波Ｅ３の発射に対するＩＣタグ１４−ｊよりの受信があると、その受信を記憶する。その後電波Ｅｉの発射に対し、ＩＣタグ１４−ｊよりの受信が無しになると、それより以前の記憶された受信状態を確認し、近距離、中距離、遠距離の受信を経て、受信無しとなった場合は、持ち出された物品が管理領域から、不正持ち出しされたものと判断し、一方、電波Ｅｉの発射に対し、ＩＣタグ１４−ｊよりの受信が無しの場合に、その以前の受信状態が近距離受信である場合には、持ち出された物品が、キャビネット１１の元のボックス１６−ｊに戻されたものと判断するようにしている。
次に、この実施形態物品管理装置の具体的な処理動作を図３，図４に示すフロー図を参照して説明する。
この実施形態物品管理装置において、図３，図４に示す処理が開始されると、先ずステップＳＴ１において、変数ｉを１とする。ここでｉは、送受信回路１８よりアンテナ１７を経て発射される電波Ｅの到達距離の切換次数を示す変数である。次に、ステップＳＴ２へ移行する。
ステップＳＴ２においては、送受信部１２のアンテナ１７からキャビネット１１の前方の管理領域に向けて電波Ｅｉが発射される。処理開始頭初のこの時点ではｉ＝１であり、電波Ｅ１は近距離（図１のａ点）到達の電波である。続いて、ステップＳＴ３へ移行する。
ステップＳＴ３においては、アンテナ１７を通して受信有か否か判定する。電波Ｅｉの到達距離領域内に物品１５−ｊがキャビネット１１のボックス１６−ｊより取り出されていると、物品１５−ｊのＩＣタグ１４−ｊより物品１５−ｊに関するデータがアンテナ１７を経て読み取られるので「受信有か」の判定ＹＥＳでステップＳＴ７へ移行する。もっとも管理の通常時は、物品１５−ｊがボックス１６−ｊから取り出されることはなく、物品１５−ｊが管理領域内に存在することがなく、ＩＣタグ１４−ｊからデータを受信することがない。この場合は、「受信有か」の判定ＮＯでステップＳＴ４へ移行する。
ステップＳＴ４においては、フラグＦが「１」であるか否か判定する。このフラグＦは、装置が動作を開始してからＩＣタグ１４−ｊよりの受信有を示すフラグであり、処理開始頭初は、F＝０であり、この時点では判定ＮＯであり、ステップＳＴ５へ移行する。一方、処理継続中にそれまでＩＣタグ１４−ｊよりの受信有の場合は、Ｆ＝１となっているので、その場合には判定ＹＥＳでステップＳＴ１２へ移行する。
ステップＳＴ５においては、変数ｉをインクリメントする。処理開始頭初の、この時点では、ｉ＝２となる。次にステップＳＴ６へ移行する。
ステップＳＴ６おいては、ｉ＞ｎ（例えばｎ＝３に設定）か否か判定する。この時点では、ｉ＝２なので判定ＮＯでステップＳＴ２へ戻る。ステップＳＴ２においては、送受信部１２のアンテナ１７から管理領域に向けて電波Ｅｉが発射される。この時点はｉ＝２であり、電波Ｅ２は、中距離到達（図１のｂ点）の電波である。続いてステップＳＴ３へ移行する。
ステップＳＴ３においては、管理領域内のＩＣタグ１４−ｊより受信有か否か判定する。この時点で管理領域内の物品１５−ｊが取り出されていず、ＩＣタグ１４−ｊより受信がない場合は、判定ＮＯでステップＳＴ４へ移行する。
ステップＳＴ４においては、フラグＦが「１」でないので、前回と同様判定ＮＯで、ステップＳＴ５へ移行する。ステップＳＴ５においては、変数ｉをインクリメントする。この時点でｉ＝３となる。続いてステップＳＴ６へ移行する。
ステップＳＴ６においては、ｉ＞ｎ（ｎ＝３）か否か判定する。この時点では、ｉ＝３なので判定ＮＯでステップＳＴ２に戻る。ステップＳＴ２においては、前回と同様にアンテナ１７から電波Ｅｉが発射される。この時点はｉ＝３であり、電波Ｅ３は、遠距離到達（図１のｃ点）の電波である。続いてステップＳＴ３へ移行する。
ステップＳＴ３は、受信有か否か判定する。この時点においても、管理領域に物品が取り出されていないと、ＩＣタグ１４−ｊより受信がなされず、判定ＮＯでステップＳＴ４へ移行する。前回と同様にステップＳＴ４の「フラグＦ＝１か」の判定ＮＯでステップＳＴ５へ移行する。
ステップＳＴ５においては、変数ｉをインクリメントする。この時点でｉ＝４となる。続いてステップＳＴ６へ移行する。ステップＳＴ６においてｉ＞ｎ（ｎ＝３）か否か判定する。この時点でｉ＝４なので、判定ＹＥＳで、次にステップＳＴ１へ戻る。
ステップＳＴ１においては、処理開始時と同様にｉ＝１とする。以後、管理領域内に物品１５−ｊが取り出されない限り、ステップＳＴ３の「受信有か」の判定はＮＯであり、上記したと同様に、ステップＳＴ２〜ＳＴ６の処理を３回繰り返し、電波をＥ１→Ｅ２→Ｅ３と切換ながら、管理処理を継続する。電波の切換により、変数ｉが４となると、再度ステップＳＴ６の判定がＹＥＳとなり、処理はステップＳＴ１に戻り、変数ｉを１とする。
以後、管理領域内に物品１５−ｊが取り出されず、ＩＣタグ１４−ｊよりの受信がなされないと、ステップＳＴ２〜ＳＴ６の処理を繰り返し継続する。
上記受信無しの状態での処理を継続した後に、管理領域の近距離領域Ａに、物品１５−ｊが取り出された場合を想定する。ステップＳＴ２おいて電波Ｅ１を発射した時に、この発射に対し，ＩＣタグ１４−ｊよりのデータがアンテナ１７より受信される。
ステップＳＴ３において、「受信有か」の判定がＹＥＳであり、次にステップＳＴ７へ移行する。ステップＳＴ７においては、フラグＦが「０」か否か判定する。この時点では、処理開始から初めての受信なので、フラグＦは「０」のままであり、判定ＹＥＳでステップＳＴ８へ移行する。ステップＳＴ８では、フラグＦを「１」とする。上記想定と相違し、すでに受信有の状態でフラグＦが「１」とされている場合は、ステップＳＴ７の判定ＮＯで、ステップＳＴ８をスキップしてステップＳＴ９へ移行する。
ステップＳＴ９においては、今回受信した受信データＲ１を、制御装置１３の記憶部に記憶する。図５に記憶部の受信データの記憶テーブルの一例を示す。次にステップＳＴ１０へ移行する。
ステップＳＴ１０においては、ｉ＝ｎ（ｎ＝３）か否か判定する。この時点においてはｉ＝１なので、判定ＮＯで、次に、ステップＳＴ１１へ移行する。ステップＳＴ１１においては、変数ｉをインクリメントする。この時点でｉ＝２となる。続いて、ステップＳＴ２へ戻る。
ステップＳＴ２においては、アンテナ１７から管理領域に電波Ｅｉが発射される。この時点ではｉ＝２であるから電波Ｅ２、つまり、到達距離が中距離（図１のｂ点）の電波Ｅ２が発射される。次にステップＳＴ３へ移行する。
ステップＳＴ３においては、受信有か否か測定する。この時点では前の時点ｉ＝１
でＩＣタグ１４−ｊからデータを受信しており、物品１５−ｊが、この時点でなお領域Ａか、あるいは中距離到達点ｂまでの領域Ｂ内に存在している場合は、ＩＣタグ１４−ｊから受信するので、ステップＳＴ３の判定はＹＥＳで、次にステップＳＴ７へ移行する。一方、ここで受信無しの場合は、判定ＮＯでステップＳＴ４へ移行する。
ステップＳＴ７において、フラグＦが「０」か否かが判定される。前回のｉ＝１の時点ですでにフラグＦ＝１としているので、このステップＳＴ７での判定はＮＯで、次にステップSＴ９へ移行する。
ステップＳＴ９においては、今回受信した受信データＲ２を制御装置１３の記憶部に記憶する（図５参照）。次にステップＳＴ１０へ移行する。
ステップＳＴ１０においては、前回同様、ｉ＝ｎ（ｎ＝３）か否か判定する。この時点において、ｉ＝２なので、判定ＮＯで、ステップＳＴ１１へ移行する。ステップＳＴ１１においては、変数１をインクリメントする。この時点で、変数ｉ＝３となる。続いてステップＳＴ２へ戻る。
ステップＳＴ２においては、アンテナ１７から管理領域に電波Ｅｉが発射される。この時点ではｉ＝３であるから、電波Ｅ３、つまり遠到達距離（図１のｃ点）の電波Ｅ３が発射される。次にステップＳＴ３へ移行する。
ステップＳＴ３においては、受信有か否か判定される。この時点で、前の時点ｉ＝１，ｉ＝２でＩＣタグ１４−ｊからデータを受信しており、物品１５−ｊが、なお領域Ａ、Ｂ、Ｃ内に存在している場合はＩＣタグ１４−ｊから受信するので、ステップＳＴ３の判定ＹＥＳで、次にステップＳＴ７へ移行する、一方、ここで受信無しの場合は判定ＮＯでステップＳＴ４へ移行する。
ステップＳＴ７においては、フラグＦが「０」か否かが判定される。ここでは、すでにフラグＦ＝１に設定されているので、判定ＮＯで、次にステップＳＴ９へ移行する。
ステップＳＴ９においては、今回受信した受信データＲ３を制御装置１３の記憶部に記憶する（図５参照）。次にステップＳＴ１０へ移行する。
ステップＳＴ１０においては、前回同様ｉ＝ｎ（ｎ＝３）か否か判定する。この時点において、ｉ＝３なので判定ＹＥＳでステップＳＴ１へ戻る。ステップＳＴ１においては、変数ｉを１に戻す。そして、以後上記したと同様の処理を繰り返し，ＩＣタグ１４−ｊから返信があった場合にのみ、その受信データＲｉを制御装置１３の記憶部に記憶し、処理を継続する。
次に、ここで、ステップＳＴ３で受信有が判定され、その受信データＲｉが記憶された状態、つまり管理領域内に物品が持ち出された状態から、その後受信無しと判定され、つまり管理領域内から物品が消滅した場合を想定する。
ステップＳＴ２において、電波Ｅｉを発射した後に、ステップＳＴ３において、受信有りかの判定ＮＯで、次にステップＳＴ４へ移行する。ステップＳＴ４においては、フラグＦ＝１か否か判定される。すでに前処理段階で受信有りの場合は、フラグＦ＝１と設定されているので、判定ＹＥＳで次にステップＳＴ１２へ移行する。
ステップＳＴ１２においては、今回発射の電波Ｅｉよりも１回前に発射の電波Ｅｉ―１がＥ１か否かを判定する。記憶部に記憶されている受信データを参照して、１回前の発射電波がＥ１（データＲ１の受信）であれば判定ＹＥＳで、次にステップＳＴ１３へ移行する。一方、発射電波Ｅｉ―１が電波Ｅ１でない場合は、判定ＮＯでステップＳＴ１４へ移行する。
ステップＳＴ１３においては、この時点における受信無しの判断は、前回の近距離領域到達の電波Ｅ１で受信有りを記憶していることより、管理領域に持ち出された物品が、今回の時点にボックス１６−ｊ内に戻されたものとして、元へ収納と判断し、その旨を記憶部に記憶する。そして処理を終了し、リターンする。ステップＳＴ１４においては、１回前に発射の電波Ｅｉ―１がＥ３か否かを判定する。判定ＹＥＳの場合は、ステップＳＴ５へ移行する。
ステップＳＴ１４において、判定ＹＥＳの場合は、前回の電波Ｅｉ−１（Ｅ３）の発射でＩＣタグ１４−ｊよりデータの受信があったことを意味し、今回の電波Ｅｉの発射で電波Ｅｉの受信無しの１回前に、電波Ｅ３の発射による受信データＲ３の受信であったことを意味する。
ステップＳＴ１５においては、前々回の電波Ｅｉ―２の発射は、電波Ｅ２であったか否かを判定する。ステップＳＴ１５において、判定ＹＥＳの場合は、ステップＳＴ１６へ移行する。ステップＳＴ１５に於いて、判定ＹＥＳは、前回の電波Ｅｉ―１の発射で電波Ｅ２（データＲ２）の受信がなされ、前々回の電波Ｅｉ―２の発射で電波Ｅ２の受信があったことを意味し、今回の電波Ｅｉの発射で電波Ｅ１の受信無しの前が、電波Ｅ３の受信であり、さらに、その前が電波Ｅ２の受信であり、管理領域に取り出された物品が近距離→中距離→遠距離と移動して、さらに管理領域外に持ち出されたことを意味する。
ステップＳＴ１６においては、以上より、物品が不正に持ち出されたと判断し、次にステップＳＴ１７へ移行する。ステップＳＴ１７においては、制御装置１３の表示部に不正持ち出し警告の表示を行う。一方、ステップＳＴ１４の判定ＮＯ、ステップＳＴ１５の判定ＮＯでは、処理を終了しリターンする。
この実施形態物品管理装置によれば、送受信部１２のアンテナ１７より、到達距離を近距離、中距離、遠距離と順次切り換えて電波をキャビネット１１前方の所定領域に発射し、その過程でキャビネット１１のボックス１６−ｊから取り出された物品１５−ｊが、アンテナ１７から電波ＥｉによるＩＣタグ１４−ｊのアクセスで検知された後、その後受信不可となった場合に、受信不可となる前の検知が近距離、中距離、遠距離と移動してゆくか、あるいは近距離領域での受信検知後、受信不可となったかの判別により、物品が不正持ち出しされたか、あるいはボックス内より物品持出し後、再度元のボックスに戻されたかの区別を確実に行うことが出来、不正持ち出しを精度良く管理することができる。
【符号の説明】
【００１４】
１１                  キャビネット（物品収納庫）
１２                  送受信部
１３                  制御装置
１４，１４−ｊ        ＩＣタグ
１５，１５−ｊ        物品
１６，１６−ｊ        ボックス（物品収納部）
１７                  アンテナ
１８                  送受信回路
【図１】
2011079605.tif 000003
【図２】
2011079605.tif 000004
【図３】
2011079605.tif 000005
【図４】
2011079605.tif 000006
【図５】
2011079605.tif 000007
【図６】
2011079605.tif 000008
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の収納部を有し、各収納部にＩＣタグ付きの物品を収納し、収納中は外部よりＩＣタグのデータを読取不能な物品収納庫と、前記物品収納庫の周辺管理領域にデータ授受用の電波を送受する送受信部と、前記送受信部の通信動作を制御する制御部と、からなる物品管理装置において、
前記送受信部は送信する電波の強弱を切り換える機能を備え、
前記制御部は、前記送受信部より発射される電波の到達距離を近距離から遠距離に順次切り換える電波到達距離切換手段と、前記電波の到達距離の切換毎に、送出電波に応答して、ＩＣタグからの受信状態を記憶する受信状態記憶手段と、前記受信状態記憶手段に記憶された受信状態の変化に基づきＩＣタグの移動状態を判別するＩＣ移動状態判別手段と、を備え、
前記ＩＣ移動状態判別手段の判別に応じ、ＩＣタグ付設物品の持出し有無を判別するようにしたことを特徴とする物品管理装置。
【請求項２】
前記ＩＣタグ移動状態判別手段は、受信中であったＩＣタグよりの受信が不可となった場合に、それ以前に受信中のＩＣタグが、時間の経過で、近距離受信、中距離受信、遠距離受信と受信位置が遠くなる方向に移動していることを判別することにより、そのＩＣタグ付設物品の持出しを判別することを特徴とする請求項１記載の物品管理装置。
【請求項３】
前記ＩＣタグ移動状態判別手段は、受信中であったＩＣタグよりの受信が不可となった場合に、それ以前のＩＣタグよりの受信が近距離受信であることを確認することにより、そのＩＣ付設物品が前記物品収納庫の収納部に戻されたものと判別することを特徴とする請求項１又は請求項２記載の物品管理装置。